(57)【要約】【課題】脈拍数又は心拍数検出に際し検出効率と操作性を高め、患者の快適性を向上させることができる医療画像診断用寝台等を提供すること。【解決手段】支持部と、前記支持部に対して長手方向に移動可能に設けられ、被検体を載置する天板と、前記支持部又は前記天板に取り付けられ、非接触で前記被検体の脈拍数又は心拍数を検出する脈拍数検出部と、を具備する医療画像診断用寝台である。【選択図】      図４
2017018599.tif 000002
【特許請求の範囲】
【請求項１】
支持部と、
前記支持部に対して長手方向に移動可能に設けられ、被検体を載置する天板と、
前記支持部又は前記天板に取り付けられ、非接触で前記被検体の脈拍数又は心拍数を検出する脈拍数検出部と、
を具備する医療画像診断用寝台。
【請求項２】
前記脈拍数検出部は、
前記被検体の所定部位における脈拍数又は心拍数を検出できる少なくとも一つの非接触式検出器と、
前記天板の前記長手方向の移動に対応させて前記少なくとも一つの非接触式検出器を前記長手方向に移動させる移動部と、
を有する請求項１に記載の医療画像診断用寝台。
【請求項３】
前記移動部は、前記支持部に内蔵されている請求項２に記載の医療画像診断用寝台。
【請求項４】
前記移動部は、前記長手方向に沿って設けられたガイドレールを有し、前記少なくとも一つの非接触式検出器を前記ガイドレールに沿って移動させる請求項２に記載の医療画像診断用寝台。
【請求項５】
前記脈拍数検出部は、前記少なくとも一つの非接触式検出器の向きを回転させるための回転機構をさらに有する請求項１乃至４のうちいずれか一項に記載の医療画像診断用寝台。
【請求項６】
前記脈拍数検出部は、前記少なくとも一つの非接触式検出器を上下に昇降させるための昇降機構をさらに有する請求項１乃至５のうちいずれか一項に記載の医療画像診断用寝台。
【請求項７】
前記昇降機構により、前記少なくとも一つの非接触式検出器は前記支持部の内部に収納可能であり、
前記少なくとも一つの非接触式検出器が前記支持部の内部から出現する場合に開き、前記少なくとも一つの非接触式検出器が前記支持部の内部に収納される場合に閉じる開閉ユニットをさらに有する請求項６に記載の医療画像診断用寝台。
【請求項８】
前記脈拍数検出部は、前記被検体の所定部位における脈拍数又は心拍数を検出できる複数の非接触式検出器を有し、
前記複数の非接触式検出器は、前記天板の両側において、前記天板の中心軸に関して非対称に配列されている請求項２乃至７のうちいずれか一項に記載の医療画像診断用寝台。
【請求項９】
前記脈拍数検出部は、
前記被検体の所定部位における脈拍数又は心拍数を検出できる複数の非接触式検出器を有し、
前記複数の非接触式検出器の少なくとも一つは、前記被検体の上半身の所定部位を撮影する場合には、前記被検体の足首における脈拍数又は心拍数を検出する、
請求項２乃至７のうちいずれか一項に記載の医療画像診断用寝台。
【請求項１０】
支持部と、
前記支持部に対して長手方向に移動可能に設けられ、被検体を載置する天板と、
非接触で前記被検体の脈拍数又は心拍数を検出する脈拍数検出部を、前記支持部又は前記天板に接続するための接続部と、
を具備する医療画像診断用寝台。
【請求項１１】
支持部と、
前記支持部に対して長手方向に移動可能に設けられ、被検体を載置する天板と、
前記支持部又は前記天板に取り付けられ、非接触で前記被検体の脈拍数又は心拍数を検出する脈拍数検出部と、
前記被検体を撮影する撮影部と、
前記検出された脈拍数又は心拍数に基づいて、前記撮影部による撮影動作を禁止又は中止する制御部と、
を具備する医療画像診断装置。
【請求項１２】
前記検出された脈拍数又は心拍数を所定の形態で表示する表示をさらに具備する請求項１１記載の医療画像診断装置。
【発明の詳細な説明】
【技術分野】
【０００１】
本発明の実施形態は、医療画像診断用寝台及び医療画像診断装置に関する。
【背景技術】
【０００２】
現在、医療画像診断装置は、患者に対する医療検査に広く適用されている。重症患者を検査する場合、医療画像診断装置を用いると同時に、患者の心電図波形を監視する必要がある。現在、医療画像診断装置自身は、心電図波形を監視する機能を備えず、別途で一台の心電計を配置して監視する必要がある。
【０００３】
現在、よく用いられる心電計は、電極パッチを用いて患者と接触する方式で監視を行う。使用の前に、まず、心電計を医療画像診断装置に接続する必要があり、通常、５−１０分間を要する。次に、心電計を患者に接続する必要があり、電極パッチを患者の体によく貼り付けるために、まず患者の被測部位の皮膚に潤滑剤、例えば水を少量塗る必要があり、次に電極パッチを患者の被測部位に貼り付け、通常、３−６個の被測部位を要する。通常の場合、心電計を接続する全ての過程は、約１５分間を要し、その後、医療画像診断装置を用いて検査を始めることができる。
【発明の概要】
【発明が解決しようとする課題】
【０００４】
しかし、心電計の接続に一定の時間をかける必要があるので、患者に対する診断を遅延させる。また、心電計の電極パッチを患者の体に貼り付ける必要があるので、患者に心理的及び生理的な不快感を与える。
【０００５】
上述の問題に鑑みてなされたものであり、脈拍数又は心拍数検出に際し検出効率と操作性を高め、患者の快適性を向上させることができる医療画像診断用寝台及び医療画像診断装置を提供することを目的とする。
【課題を解決するための手段】
【０００６】
本実施形態に係る医療画像診断用寝台は、支持部と、前記支持部に対して長手方向に移動可能に設けられ、被検体を載置する天板と、前記支持部又は前記天板に取り付けられ、非接触で前記被検体の脈拍数又は心拍数を検出する脈拍数検出部と、を具備する。
【図面の簡単な説明】
【０００７】
【図１】図１は、第１の実施の形態に係る医療画像診断装置の全体構造のブロック図である。
【図２】図２は、第１の実施の形態に係る医療画像診断装置の全体構造の概略図である。
【図３】図３は、第１の実施の形態に係る医療画像診断用寝台の全体構造の概略図である。
【図４】図４は、第１の実施の形態に係る医療画像診断用寝台の概略上面図及び動作フローである。
【図５】図５は、第１の実施の形態に係る医療画像診断用寝台の、脈拍数検出器が寝台の内部にある場合のＡ−Ａ方向の概略断面図である。
【図６】図６は、第１の実施の形態に係る医療画像診断用寝台の、脈拍数検出器が上昇している場合のＡ−Ａ方向の概略断面図である。
【図７】図７は、第１の実施の形態の変形例に係る脈拍数検出器の設置位置の概略図である。
【図８】図８は、第２の実施の形態に係る医療画像診断用寝台の概略上面図及び動作フローである。
【図９】図９は、第２の実施の形態に係る医療画像診断用寝台の、脈拍数検出器が寝台の内部にある場合のＢ−Ｂ方向の概略断面図である。
【図１０】図１０は、第２の実施の形態に係る医療画像診断用寝台の、脈拍数検出器が上昇している場合のＢ−Ｂ方向の概略断面図である。
【図１１】図１１は、第２の実施の形態に係る医療画像診断用寝台の、ロールシャッターと小さなドアの詳細図である。
【図１２】図１２は、第２の実施の形態の変形例に係る脈拍数検出器の設置位置の概略図である。
【図１３】図１３は、第２の実施の形態の他の変形例に係る医療画像診断用寝台の概略上面図及び動作フローである。
【図１４】図１４は、第２の実施の形態の他の変形例に係る脈拍数検出器の設置位置の概略図である。
【発明を実施するための形態】
【０００８】
以下、図面を参照しながら実施の形態を説明する。
（第１の実施の形態）
図１〜図３は、第１の実施の形態に係る医療画像診断装置及び医療画像診断用寝台の構造を示す。以下の実施形態においては、医療画像診断装置としてＸ線ＣＴ装置を採用した場合を例とする。しかしながら、当該例に拘泥されず、医療画像診断装置として、ＭＲＩ装置、Ｘ線診断装置、核医学診断装置等を採用するようにしてもよい。  
図１は、第１の実施の形態に係る医療画像診断装置の全体構造のブロック図である。図２は、第１の実施の形態に係る医療画像診断装置の全体構造の概略図である。図３は、第１の実施の形態に係る医療画像診断用寝台の全体構造の概略図である。
【０００９】
医療画像診断装置１００は、被検体Ｐを撮影する撮影部１０と、被検体Ｐを載置して撮影部へ移動させる寝台３０と、各種の命令を入力して、撮影部１０と寝台３０とに対する操作制御を実現する操作部４０と、操作部４０からの入力情報に基づいて撮影部１０と寝台３０とを制御するシステム制御部４１と、を含む。
【００１０】
撮影部１０は、被検体Ｐに対する撮影を利用して投影データを生成する架台１１と、架台１１に生成された投影データを処理することにより画像データを生成するデータ処理部２０と、を含む。
【００１１】
架台１１は、寝台により被検体Ｐを送り込む架台中心の円筒状の開口部１２と、その上に載置された部品を被検体Ｐ周りに回転させる架台回転部１３と、を含む。
【００１２】
架台回転部１３は、Ｘ線を放射して被検体Ｐを撮影するＸ線放射部１４と、Ｘ線放射部１４から放射された被検体Pを透過するＸ線を検査するＸ線検出部１５ と、Ｘ線検出部１５に検査されたＸ線データを収集して投影データの生成に用いるデータ収集部１６と、を含む。
【００１３】
データ処理部２０は、架台１１のデータ収集部１５から出力された投影データを保存するデータ記憶部２１と、データ記憶部２１に保存された複数の視角の投影データを再構成して画像データを生成するデータ再構成部２２と、データ再構成部に生成された画像データを表示する画像表示部２３と、を含む。
【００１４】
寝台３０は架台１１の近傍に設けられ、寝台の支持本体として寝台全体を上下に動作できるとともに、その上に載置された天板３２を水平に移動できる寝台支持部３１と、寝台支持部３１に取り付けられ、寝台支持部３１に対して水平にスライドでき、被検体Ｐを載置する天板３２と、天板３２に搭載された偽検体の脈拍を検出器、及び当該検出器の位置や向きを調整するための機構を具備した脈拍数検出部６０と、を含む。図３は、天板３２が寝台支持部３１に対して水平に一定の距離スライドした状況を示す。
【００１５】
次に、図４〜図６を参照しながら第１の実施の形態に係る医療診断用寝台をさらに詳しく説明する。
【００１６】
図４（ａ）、（ｂ）、（ｃ）は、第１の実施の形態に係る医療画像診断用寝台の概略上面図及び動作フローである。図５は、第１の実施の形態に係る医療画像診断用寝台の、脈拍数検出器が寝台の内部にある場合のＡ−Ａ方向の概略断面図である。図６は、第１の実施の形態に係る医療画像診断用寝台の、脈拍数検出器が上昇している場合のＡ−Ａ方向の概略断面図である。
【００１７】
脈拍数検出部６０は、寝台支持部３１に取り付けられるとともに、天板３２の外側に位置している。脈拍数検出部６０は、少なくとも一つの脈拍数検出器６１を備え（例えば、図４（ａ）、（ｂ）、（ｃ）では、脈拍数検出器６１ａ、脈拍数検出器６１ｂ又は脈拍数検出器６１ｃの３つの脈拍数検出器６１を備えた脈拍数検出部６０を例示している。）、被検体Ｐの頸、腕（手首）、踝（足首）のうち少なくとも一つの被検部位に対して脈拍数検出を行うことができる。図４に示すように、脈拍数検出部６０は、三つの脈拍数検出器６１ａ、６１ｂ、６１ｃを備える。図５、図６に示すように、各脈拍数検出器６１は、反射式光電センサ６１１、保持部材６１２、マイクロ回転モータ６１３及びリフタ６１４を含む。
【００１８】
各脈拍数検出器６１はいずれも、赤外線を発する放射部と反射光を受ける検出部を含む反射式光電センサ６１１を備える。照射した被検部位の血流量が心臓の鼓動につれて変化する場合、反射式光電センサ６１１の反射光検出部は、心臓につれて周期的収縮及び拡張する動脈拍動の光パルス信号を検出し、さらに光電変換した後に脈拍数信号を形成して、被検部位に対する脈拍数の検出、つまり心拍数の検出を実現する。もちろん、反射式光電センサに限られず、マイクロ波センサ、無線電波センサ等のその他の脈拍数又は心拍数の検出ができる非接触式生命徴候検出センサでもよい。
【００１９】
各脈拍数検出器６１は、支持部３１の内部に固定され、平行に天板の外側に位置し、反射式光電センサ６１１を支持する保持部材６１２をさらに含む。リフタ６１４は、保持部材６１２の上に取り付けられ、反射式光電センサ６１１を使用の場合に天板が所在する平面以上の位置（すなわち、天板の鉛直方向における位置以上の位置）に上昇させる。反射式光電センサ６１１は、上昇後の位置において、被検体Ｐの被検部位に対して脈拍数検出を行う。一方、使用しない場合には、リフタ６１４は、反射式光電センサを降下させて寝台支持部３１の内部に収納する。この動作は、その他の操作に影響を与えない。
【００２０】
マイクロ回転モータ６１３は、保持部材６１２の上に取り付けられ、反射式光電センサ６１１を保持部材６１２に対して回転（すなわち、反射式光電センサ６１１が照射する光の方位を回転）させる。当該回転により、反射式光電センサ６１１は、計測のための光の照射範囲（今の場合、セクター範囲）を自在に回転させ、当該範囲内の被検部位について、脈拍数検出を行うことができる。もちろん、マイクロ回転モータ６１３及びリフタ６１４の設置位置は、図５、図６に示すようにマイクロ回転モータ６１３が上にあり、リフタ６１４が下にある構造に限らず、反射式光電センサ６１１が回転及び昇降動作を行うことができればいずれの構造であってもよい。
【００２１】
図５、図６に示すように、脈拍数検出部６０は、脈拍数検出器的の真上に取り付けられた可動ドア（開閉ユニット）６２０をさらに備え、反射式光電センサ６１１が上昇して脈拍数検出を行う必要がある場合、可動ドア６２０が開き、反射式光電センサ６１１を使用せず寝台支持部３１の内部に収納する必要がある場合、可動ドア６２０が閉じて被覆の作用を果たすことにより、脈拍数検出器６１を寝台支持部３１の内部に密封する。
【００２２】
以下、図４を用いて脈拍数検出器の医療画像診断装置の診断過程での動作フローを説明する。
【００２３】
医療画像診断装置の診断過程で被検体Ｐを撮影する場合、天板３２は被検体Ｐを載置して水平方向にスライドし、スライドしながら撮影することにより、被検体Ｐに対する撮影を完了する。図４（ａ）、（ｂ）、（ｃ）に示す天板３２の水平動のストロークは１５００ｍｍで、脈拍数検出器上の反射式光電センサ６１１の検出範囲は５００ｍｍで、Ｓ−ａ、Ｓ−ｂ、Ｓ−ｃはそれぞれ脈拍数検出器６１ａ、６１ｂ、６１ｃが回転動作により実現可能な最大検出範囲である。そのため、寝台支持部３１の一方側に三つの脈拍数検出器が設置された場合、天板の水平動の過程全体において、終始少なくとも一つの脈拍数検出器は被検体Ｐの被検部位に対して脈拍数検出を行うことができる。
【００２４】
図４（ａ）、（ｂ）、（ｃ）に示す被検体Ｐの方式がＨｅａｄ−ｆｉｒｓｔの走査モードである場合、脈拍数検出器は、主に被検体Ｐの踝部位に対して脈拍数検出を行う。もちろん、この方式に限られず、被検体Ｐの方式がＦｏｏｔ−ｆｉｒｓｔの走査モードである場合、脈拍数検出器は、被検体Ｐの頸部位に対して脈拍数検出を行うこともできる。また、被検体Ｐの腕に対して脈拍数検出を行ってもよい。
【００２５】
図４（ａ）では、天板３２が水平動しない場合の位置であり、この場合、脈拍数検出器６１ｃは被検体Ｐの踝部位を検出し、被検体Ｐの体格特徴に基づいて、脈拍数検出器６１ｃは、その高さ及び回転角度を調整することにより、反射式光電センサを被検体Ｐの踝部位に対向させて脈拍数検出を実現する。天板３２が被検体Ｐを載置して水平動する過程において、脈拍数検出器６１ｃは逆時計周りに回転することにより、脈拍数検出を持続的に行うことができる。図４（ｂ）では、天板３２が一定の位置まで水平動した場合に、脈拍数検出器６１ｃは被検体Ｐの踝部位に対する脈拍数検出を停止し、脈拍数検出器６１ｂは脈拍数検出を行い続ける。図４（ｃ）では、天板３２が最大のストローク位置まで水平動した場合、脈拍数検出器６１ａは被検体Ｐの踝部位の脈拍数検出を行う。それにより、脈拍数検出器６１ａ、６１ｂ、６１ｃの連続的動作及び検出により、天板３２の水平動の過程全体において、終始少なくとも一つの脈拍数検出器が被検体Ｐの被検部位に対して脈拍数検出を行うことができることを実現する。そのため、医療画像診断装置は、被検体Ｐを撮影する過程全体において、被検体Ｐに対して脈拍数検出を持続的に行うことができる。
【００２６】
上述の脈拍数検出器６１は、ディフォルトの高さと角度が設定されており、被検体Pの体格特徴により高さと回転角度を調整するのは手動の調整でも良いし、自動調整でも良い。自動調整の場合、脈拍検出器６１は制御部(図示せず)に制御されて自動的に昇降回転が可能、また、脈拍信号を検出したとき自動的に停止する。もちろん、被検体Pの不注意の移動で脈拍信号が検知できない場合、自動の方式で脈拍数検出器６１を自動的に昇降回転させ、脈拍信号を再度検出する。
【００２７】
上述の脈拍信号の検出は、脈拍数検出器６１の位置及び向きを調整することにより実現する。又は、脈拍数検出器６１が動かずに、被検体Pが載置される天板３２の位置調整により実現することが出来る。すなわち、本医療画像診断装置の脈拍信号の検出は、脈拍数検出器６１と被検体P（又は天板３２）との相対的な位置関係を調整することにより、実現することができる。
【００２８】
また、上述のように検出された脈拍数情報は、表示部（図示せず）で表示される。該表示部は、図１に示すＸ線ＣＴ装置１００における表示部２３であってもよく、架台１１又は寝台３０に位置する他の表示部であってもよく、脈拍数情報の表示を行うことができる位置であればよい。また、検出された脈拍数情報は、例えば単独で表示されてもよいし、取得されたＣＴ画像と共に表示されてもよい。
【００２９】
さらに、システム制御部４１は、「脈拍数が一定値以上になった場合に、表示部２３における表示或いは音声出力等により、警告を発する。」、「脈拍数が一定値以上になった場合に、撮影動作を禁止する。」、「脈拍数が一定値以上になった場合に、撮影動作中であれば、どの動作を中止する。」といった具合に、検出された脈拍数情報に基づいて、撮影動作を制御するようにしてもよい。
【００３０】
もちろん、脈拍数検出器６１は、寝台支持部３１の一方側に設けられるのに限られず、図７（ａ）に示すように、被検体Ｐ（或いは天板３２）を挟んで非対称的に（図７（ａ）の例では、千鳥配置）寝台支持部３１の両側に設けられて、それぞれ被検体Ｐの両側の被検部位に対して脈拍数検出を行ってもよい。また、図７（ｂ）に示すように、対称的に寝台支持部３１の両側に設けられて、被検体Ｐの両側の被検部位に対して同時に脈拍数検出を行ってもよい。被検体Ｐの被検部位に対して脈拍数検出を行うことを実現できるいずれの設置方式も本実施形態の範囲内に含まれている。
【００３１】
（第２の実施の形態）
以下、図８〜図１１を用いて第２の実施の形態に係る医療診断用寝台を詳しく説明する。第２の実施の形態では、前記実施例と同じ部分について同じ符号を用いるとともに、その詳細な説明を省略する。
図８（ａ）、（ｂ）、（ｃ）は、第２の実施の形態に係る医療画像診断用寝台の概略上面図及び動作フローである。図９は、第２の実施の形態に係る医療画像診断用寝台の、脈拍数検出器が寝台の内部にある場合のＢ−Ｂ方向の概略断面図である。図１０は、第２の実施の形態に係る医療画像診断用寝台の、脈拍数検出器が上昇している場合のＢ−Ｂ方向の概略断面図である。図１１は、第２の実施の形態に係る医療画像診断用寝台の、ロールシャッター（開閉ユニット）と小さなドアの詳細図である。
第２の実施の形態と第１の実施の形態との相違点としては、脈拍数検出器６１（例えば、図８（ａ）、（ｂ）、（ｃ）では、脈拍数検出器６１ａ、脈拍数検出器６１ｂ又は脈拍数検出器６１ｃの３つの脈拍数検出器６１を備えた脈拍数検出部６０を例示している。）は、天板３２の水平動方向と平行に天板３２の外側の寝台支持部３１の内部に取り付けられたガイドレール６１５（例えば、図８（ａ）、（ｂ）、（ｃ）では、ガイドレール６１５ａ、ガイドレール６１５ｂの二つのガイドレール６１５を備えた例を示している。）と、反射式光電センサ６１１をガイドレール６１５に沿ってスライドさせるスライド駆動用モータ６１６及びベルト６１７と、をさらに含む。そのため、駆動用モータ６１６の回転動作と、当該回転動作に伴うベルト６１７の長手方向に関する水平スライド動作により、反射式光電センサ６１１が天板３２の水平動の過程全体において被検体Ｐの被検部位に対して脈拍数検出を持続的に行うことができる。
【００３２】
図９、図１０に示すように、第１の実施の形態と同じように、脈拍数検出器６１も反射式光電センサ６１１、保持部材６１２、マイクロ回転モータ６１３及びリフタ６１４を含む。また、保持部材６１２はベルト６１７に固定され、スライド駆動用モータ６１６の駆動により、保持部材６１２がガイドレール６１５に沿って水平スライドできる。そのため、反射式光電センサ６１１は、昇降、回転の動作を実現するだけでなく、水平スライドの動作を実現することができる。
【００３３】
図９、図１０、図１１に示すように、脈拍数検出部６０は、ロールシャッター６２２及び小さなドア６２３をさらに備える。小さなドア６２３は外枠（図示せず）を備える。小さなドア６２３は反射式光電センサ６１１の真上に取り付けられ、反射式光電センサ６１１が上昇して脈拍数検出を行う必要がある場合、小さなドア６２３が開き、反射式光電センサ６１１を使用せず寝台支持部３１の内部に収納する必要がある場合、小さなドア６２３が閉じて被覆の作用を果たす。ロールシャッター６２２はガイドレールの真上に取り付けられ、その一端は小さなドア６２３の外枠に固定接続されて一緒にスライドする。他端はガイドレールの両端に位置してロールシャッターモータ６２１に接続された回転軸に接続されることにより、脈拍数検出器６１がガイドレール６１５に沿って水平スライドする場合、ロールシャッターモータ６２１によりロールシャッター６２２が回転軸の箇所で収縮する。脈拍数検出器６１とロールシャッター６２２との干渉を避けると同時に寝台支持部３１の内部が終始ロールシャッター６２２に覆われることにより、脈拍数検出器６１を終始寝台支持部３１の内部に密封する。
【００３４】
図８（ａ）、（ｂ）、（ｃ）に示すように、医療画像診断装置の診断過程において、脈拍数検出器６１ａ、６１ｂの動作フローは以下のとおりである。図８（ａ）では、天板３２が水平動しない場合の位置であり、この場合、脈拍数検出器６１ｂは被検体Ｐの踝部位を検出し、被検体Ｐの体格特徴に基づいて、脈拍数検出器６１ｂは、その高さ及び回転角度を調整することにより、反射式光電センサが被検体Ｐの踝部位に対向して脈拍数検出を実現する。天板３２が被検体Ｐを載置して水平動する過程において、脈拍数検出器６１ｂはガイドレール６１５ｂに沿って天板３２につれてスライドすることにより、脈拍数検出を持続的に行うことができる。脈拍数検出器６１ｂがガイドレール６１５ｂの末端までスライドした場合、脈拍数検出器６１ｂは逆時計周りに回転して脈拍数検出を行い続ける。図８（ｂ）では、天板３２が一定の位置まで水平動した場合、脈拍数検出器６１ｂは一定の角度回転した後、依然として被検体Ｐの踝部位に対して脈拍数検出を行う。その後、脈拍数検出器６１ｂは被検体Ｐの踝部位に対する脈拍数検出を停止し、脈拍数検出器６１ａは脈拍数検出を行う。図８（ｃ）では、天板３２が最大のストローク位置まで水平動した場合、脈拍数検出器６１ａは被検体Ｐの踝部位に対して脈拍数検出を行う。それにより、脈拍数検出器６１ａ、６１ｂの連続的動作及び検出により、天板３２の水平動の過程全体において、終始少なくとも一つの脈拍数検出器が被検体Ｐの被検部位に対して脈拍数検出を行うことができることを実現する。そのため、医療画像診断装置は、被検体Ｐを撮影する過程全体において、被検体Ｐに対して脈拍数検出を持続的に行うことができる。
【００３５】
もちろん、脈拍数検出器の数量は二つに限られず、図１２（ａ）に示すように一つであってもよく、それ以上であってもよい。また、脈拍数検出器６１は、寝台支持部３１の一方側に設けられるのに限られず、図１２（ｂ）に示すように、非対称的に寝台支持部３１の両側に設けられて、それぞれ被検体Ｐの両側の被検部位に対して脈拍数検出を行ってもよい。また、図１２（ｃ）に示すように、対称的に寝台支持部３１の両側に設けられて、被検体Ｐの両側の被検部位に対して同時に脈拍数検出を行ってもよい。被検体Ｐの被検部位に対して脈拍数検出を行うことを実現できるいずれの設置方式も本実施形態の範囲内に含まれている。
【００３６】
また、ガイドレール６１５がカバーする合計長さが天板３２の水平動の最大のストローク以上の場合、脈拍数検出器６１の向きを調整しなくても天板３２の水平動の過程全体ｓにおいて被検体Ｐの被検部位に対して脈拍数検出を持続的に行うことを実現できるため、脈拍数検出器６１を回転させるマイクロ回転モータ６１３がなくてもよい。図１３に示すように、ガイドレール６１５がカバーする合計長さが天板３２の水平動の最大のストローク以上の場合の寝台の概略上面図及び動作フローである。また、図１４（ａ）、１４（ｂ）に示すように、複数の脈拍数検出器６１が設置されてもよく、設置位置が寝台支持部３１の両側にあってもよい。
以上の構成において、脈拍数検出部６０は寝台支持部３１に直接取り付けられる。それ以外に、接続部(図示せず)を通して寝台支持部３１に接続できるため、コネクタ (図示せず)にて信号が繋がり、寝台支持部３１から外すことができる。上述の接続部はボルトとナット、カードイジェクタと止め具等のような可動の接続構造でよい。
以上の構成によれば、寝台支持部３１に設けられた脈拍数検出部６０により、医療画像診断装置の診断過程全体、つまり天板の水平動の過程全体において、非接触で被検体Ｐの脈拍数を検出することを保証できる。また、脈拍数検出部６０は、直接天板３２に取り付けられ、天板上の被検体Pと共に移動して脈拍を検出する。それにより、別途で心電計を接続する時間を省き、検出効率と操作性を高める。非接触式の監視なので、患者の快適性も向上させる。
【００３７】
なお、上記各実施形態においては、脈拍数検出部６０を寝台支持部３１に設ける構成を例示した。しかしながら、当該例に拘泥されず、例えば、脈拍数検出部６０を天板３２に設けるようにしてもよい。
【００３８】
第１及び第２の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００３９】
１０…撮影部、１１…架台、１２…架台中心の円筒状の開口部、１３…架台回転部、１４…Ｘ線放射部、１５…Ｘ線検出部、１６…データ収集部、２０…データ処理部、２１…データ記憶部、２２…データ再構成部、２３…画像表示部、３０…寝台、３１…寝台支持部、３２…天板、４０…操作部、４１…システム制御部、６０…脈拍数検出部、６１…脈拍数検出器、６１１…反射式光電センサ、６１２…保持部材、６１３…マイクロ回転モータ、６１４…リフタ、１００…Ｘ線ＣＴ装置、６１５…ガイドレール、６１６…スライドする駆動用モータ、６１７…ベルト、６２０…可動ドア、６２１…ロールシャッターモータ、６２２…ロールシャッター、６２３…小さなドア。
【図１】
2017018599.tif 000003
【図２】
2017018599.tif 000004
【図３】
2017018599.tif 000005
【図４】
2017018599.tif 000006
【図５】
2017018599.tif 000007
【図６】
2017018599.tif 000008
【図７】
2017018599.tif 000009
【図８】
2017018599.tif 000010
【図９】
2017018599.tif 000011
【図１０】
2017018599.tif 000012
【図１１】
2017018599.tif 000013
【図１２】
2017018599.tif 000014
【図１３】
2017018599.tif 000015
【図１４】
2017018599.tif 000016